(57)【要約】【課題】従来の液晶駆動装置では、表示データの表示側読み出し動作の検査を行う場合、デジタルの表示データがＤ／Ａ変換器から出力される階調電圧を測定するため高額な測定手段を使用し、かつ測定時間が長くなった。【解決手段】表示記憶部１０１とラインラッチ１０２とＤ／Ａ変換器１０３とから構成される液晶駆動装置であって、表示記憶部１０１からラインラッチ１０２に取り込まれたデータをデータセレクト信号により順次出力バッファ１０５にシリアル出力を行うとともに、階調セレクタ１０６でＤ／Ａ変換器１０３の出力を切り離し、出力バッファ１０５から２値の電圧を出力させることにより、測定装置のコンパレータによる高速な検査が可能となる。【選択図】  図１
2006053480.tif 000002
【特許請求の範囲】
【請求項１】
外部より入力される表示データを記憶する表示記憶部と、前記表示記憶部から読み出された表示すべきデータを格納するラインラッチと、前記ラインラッチのデータを階調電圧に変換するＤ／Ａ変換器とを備えた液晶駆動装置であって、
前記ラインラッチの多ビット２値データより１ビットずつ選択して測定装置に出力する手段を有することを特徴とする液晶駆動装置。
【請求項２】
外部より入力される表示データを記憶する表示記憶部と、前記表示記憶部から読み出された表示すべきデータを格納するラインラッチと、前記ラインラッチのデータを階調電圧に変換するＤ／Ａ変換器と、前記ラインラッチの多ビット２値データをシリアルデータに変換するデータセレクタと、前記シリアルデータを増幅する出力バッファと、前記階調電圧と前記シリアルデータの２値電圧を選択して外部へ出力する階調セレクタとを備えた液晶駆動装置。
【発明の詳細な説明】
【技術分野】
【０００１】
この発明は、液晶駆動装置に関し、一例をあげれば、携帯端末などの表示装置に使用されるＬＣＤパネルにおいて、データ入力より入力された画像・文字データを保持する表示記憶部を有し、その表示記憶部から出力された表示データに応じてＤ／Ａ変換器で階調電圧に変換する表示ドライバ用ＬＳＩに関するものである。
【背景技術】
【０００２】
近年、携帯端末用ディスプレイは大画面、高精細化に伴い、搭載する表示記憶部の大型化が進んできている。それにより、表示用ドライバの表示記憶部における検査時間が増加の傾向にある。また、表示データはＤ／Ａ変換器にて階調変換して出力されるため、高精度の電圧測定手段を用いる必要がある。本発明は、このような要因により増加傾向にある検査時間を低減する液晶駆動装置に関するものである。
【０００３】
図３に従来の液晶駆動装置を示す。図３中、３０１は表示する画像を格納する表示記憶部であり、３０２は表示アドレスにより示された表示記憶部３０１の格納箇所から出力されたｎビットの表示データをＤ／Ａ変換器３０３が出力期間中保持しておくラインラッチであり、３０３はラインラッチ３０２に格納された表示データに従って２のｎ乗階調の電圧へ変換し出力端子Ｙに出力するＤ／Ａ変換器である。
【０００４】
次に従来の液晶駆動装置の動作を説明する。従来の液晶駆動装置では、表示データが表示記憶部３０１にデジタル信号で保持されている（図示せず）。その表示記憶部３０１に入力される表示アドレスカウンタの内容に対応した表示データがラインラッチ３０２に出力される。ラインラッチ３０２はラッチイネーブル信号がオンすることにより表示データを格納する。
【０００５】
次に図４に動作のタイミングチャートを示す。ラッチイネーブルの立ち上がりによりラインラッチ３０２に取り込まれた表示データはＤ／Ａ変換器３０３によってラインラッチ３０２に保持された表示データを２のｎ乗階調へ変換する。Ｄ／Ａ変換器３０３により出力された階調電圧は、入力された表示データに対応した目標電圧に十分到達した地点（サンプリング点）で測定器に測定される。測定器は測定器内にあるＡ／Ｄ変換器によって階調電圧を数値化し、表示データとの比較を行って良否の判定をおこなうことで、表示記憶部３０１から正しく表示データが出力されていることを確認する。
【特許文献１】第２６３６９３２号
【発明の開示】
【発明が解決しようとする課題】
【０００６】
しかしながら、従来の液晶駆動装置から出力される表示データに対応した階調電圧を測定する方法において測定器内にあるＡ／Ｄ変換器を用いた測定方法は、Ａ／Ｄ変換器が非常に高価であり測定器内に搭載されるユニット数が経済的理由で端子数より少ない場合が多いことから、例えば液晶表示装置の階調出力端子が５２８出力ある場合、５２８／ユニット数  回数の測定が必要となり、非常に検査時間が長くなる。また、液晶駆動装置に内蔵するＤ／Ａ変換器３０３は一般的に低消費電力の要求を満たすため駆動能力が低く、表示データに対応する階調電圧の目標電圧に到達するまでの時間、すなわち出力波形の収束時間が非常に長くなるといった問題があり、検査コストの上昇を引き起こす。
【０００７】
本発明では、表示記憶部からの表示データの出力に対して上記従来方式の測定方法による検査コストの上昇を解決し、高精度でかつ短時間に検査を実現する液晶駆動装置を提供することを目的とする。
【課題を解決するための手段】
【０００８】
本発明の液晶駆動装置は、外部より入力される表示データを記憶する表示記憶部と、前記表示記憶部から読み出された表示すべきデータを格納するラインラッチと、前記ラインラッチのデータを階調電圧に変換するＤ／Ａ変換器とを備えた液晶駆動装置であって、
前記ラインラッチの多ビット２値データより１ビットずつ選択して測定装置に出力する手段を有することを特徴とするものである。
【０００９】
本発明の液晶駆動装置は、外部より入力される表示データを記憶する表示記憶部と、前記表示記憶部から読み出された表示すべきデータを格納するラインラッチと、前記ラインラッチのデータを階調電圧に変換するＤ／Ａ変換器と、前記ラインラッチの多ビット２値データをシリアルデータに変換するデータセレクタと、前記シリアルデータを増幅する出力バッファと、前記階調電圧と前記シリアルデータの２値電圧を選択して外部へ出力する階調セレクタとを備えたものである。
【発明の効果】
【００１０】
本発明の液晶駆動装置によれば、Ｄ／Ａ変換器から出力される階調電圧を測定するのではなく、例えばデータセレクタと出力バッファと階調セレクタを用いて、ｎビットの表示データの各ビットを順次外部端子に出力し、測定装置のコンパレータで比較判定することによりＤ／Ａ変換・Ａ／Ｄ変換を省き、検査時間を短縮させるものである。
【発明を実施するための最良の形態】
【００１１】
以下、本発明の一実施の形態を図１および図２を参照しながら説明する。
【００１２】
図１に本発明の一実施の形態の液晶駆動装置の回路図を示す。１０１は表示する画像を格納する表示記憶部であり、１０２は表示記憶部１０１から出力されたｎビットの表示データをＤ／Ａ変換器１０３が出力中保持しておくラインラッチであり、１０３はラインラッチ１０２に格納されたデータを２のｎ乗階調電圧へ変換するＤ／Ａ変換器である。１０４は表示記憶部１０１から出力されるｎビットの表示データから、データセレクト信号により任意の1ビットを選択するデータセレクタである。１０５はデータセレクタ１０４にて選択された1ビットの表示データについて、出力端子Ｙに高負荷が接続された場合、高速に電圧値の収束を行うよう増幅して、２値電圧を出力する出力バッファである。１０６は通常動作時に表示データをＤ／Ａ変換したＤ／Ａ変換器１０３の階調電圧と、出力バッファ１０５から出力された２値電圧を階調セレクト信号により選択して出力する階調セレクタである。
【００１３】
次に図２のタイミングチャートを参照しながら動作の説明を行う。表示記憶部１０１からアドレスカウンタに示された００行の表示データが出力される。出力されたデータＤ０〜Ｄ２は、ラインラッチ１０２に入力されるラッチイネーブル信号の立ち上がりでラインラッチ１０２に格納される。ラインラッチ１０２の出力信号であるＱ０〜Ｑ２はデータセレクタ１０４に入力されるデータセレクト信号によって任意の1ビットがセレクトされてデータセレクタ１０４の出力として出力される。このとき階調セレクタ１０６は階調セレクト信号にて２値電圧モードを選択した状態にあり、データセレクタ１０４から1ビットのデータが出力バッファ１０５で２値電圧に変換され、出力端子Ｙに出力される。出力された２値電圧はその測定ポイントが測定装置のコンパレータで高速に期待値と比較されることにより、１ビット当たりの測定が完了する。続いて、データセレクト信号を変化させることにより、Ｑ１、Ｑ２の測定を順次行い１表示データ当たりの測定ができる。この結果、図３の回路構成と測定装置内にあるコンパレータを使用した測定により、表示データをＤ／Ａ変換器で階調電圧に変換後、測定装置でＡ／Ｄ変換を行い、期待値判定するといった時間のかかるデジタル・アナログ変換の手段を使用することなく、良否判定が可能となる。
【００１４】
階調セレクタ１０６は階調セレクト信号により階調電圧モードを選択した場合にＤ／Ａ変換器１０３の階調電圧が出力端子Ｙより出力される。
【産業上の利用可能性】
【００１５】
本発明にかかる液晶駆動装置は、表示記憶部の検査時間を短縮できるという効果があり、液晶駆動装置等として有用である。
【図面の簡単な説明】
【００１６】
【図１】本発明の一実施の形態の液晶駆動装置のブロック図である。
【図２】そのタイミングチャートである。
【図３】従来の液晶駆動装置のブロック図である。
【図４】従来の液晶駆動装置の出力波形図である。
【符号の説明】
【００１７】
１０１  表示記憶部
１０２  ラインラッチ
１０３  Ｄ／Ａ変換器
１０４  データセレクタ
１０５  出力バッファ
１０６  階調セレクタ
３０１  表示記憶部
３０２  ラインラッチ
３０３  Ｄ／Ａ変換器
【図１】
2006053480.tif 000003
【図２】
2006053480.tif 000004
【図３】
2006053480.tif 000005
【図４】
2006053480.tif 000006